(57)【特許請求の範囲】
【請求項１】
互いに平行に配列された複数の列線、上記列電極に交差する方向に互いに平行に配列された複数の行線、上記列線と上記行線との交差位置あるいは交差位置近傍の液晶でなる絵素が少なくとも形成された表示パネルと、上記列線にデータ信号を供給する列線ドライバと、上記行線に選択信号を供給する行線ドライバを有する液晶表示装置において、
上記列線ドライバに映像信号および制御信号を供給する一方、上記行線ドライバに制御信号を供給して、上記表示パネルに対する画像表示動作を制御する表示制御部と、
上記絵素に黒画像を表示させるための黒表示信号を発生する黒表示信号発生手段と、
上記列線ドライバに設けられて、上記表示制御部からの映像信号に基づくデータ信号と上記黒表示信号発生手段からの黒表示信号とを交互に切り替え選択する切替スイッチを備えて、
上記表示制御部は、上記行線を順次選択させるための上記制御信号を上記行線ドライバに供給すると共に、上記切替スイッチがデータ信号を選択している際にはｎ本目（ｎ：正の整数）の行線に選択信号を供給させる一方、上記切替スイッチが黒表示信号を選択している際には上記ｎ本目の行線とは異なる少なくとも一本の行線に選択信号を供給させる第１表示モード用の制御信号と、黒表示信号の供給動作を行わない第２表示モード用の制御信号とを切り換え出力するようになっていることを特徴とする液晶表示装置。
【請求項２】
請求項１に記載の液晶表示装置において、上記行線は、ｍ本毎（ｍ：正の整数）にＬ(Ｌ:正の整数)個のブロックに分割され、
上記行線ドライバは、各ブロックの行線に選択信号を供給するＬ個の部分行線ドライバで構成されていることを特徴とする液晶表示装置。
【請求項３】
請求項１または２に記載の液晶表示装置において、
上記表示制御部から上記列線ドライバへの制御信号は、上記切替スイッチの切替動作を制御するための切替制御信号を含み、
上記切替制御信号は、上記データ信号の選択時間を黒表示信号の選択時間よりも長くするようになっていることを特徴とする液晶表示装置。
【請求項４】
請求項１または２に記載の液晶表示装置において、
上記表示制御部から上記列線ドライバへの制御信号は、上記切替スイッチの切替動作を制御するための切替制御信号を含み、
上記切替制御信号は、上記データ信号の選択時間と上記黒表示信号の選択時間とを等しくするようになっていることを特徴とする液晶表示装置。
【請求項５】
請求項１から４の何れか一つに記載の液晶表示装置において、
上記表示制御部から上記行線ドライバへの制御信号は、上記黒表示信号を供給する黒表示信号供給期間であるか否かを識別するための識別信号を含み、
上記行線ドライバは、上記識別信号に基づいて、上記黒表示信号供給期間には(ｎ＋ｍ)本目から(ｎ＋ｍ＋ｋ−１)本目（ｍ、ｋ：正の整数）までの行線に上記選択信号を供給するようになっていることを特徴とする液晶表示装置。
【請求項６】
請求項５に記載の液晶表示装置において、
上記表示制御部から上記行線ドライバへの制御信号は走査開始信号を含み、
上記行線ドライバは、
複数のラッチ回路を有するシフトレジスタと、
上記識別信号に基づいて、データ信号供給期間には上記走査開始信号を上記シフトレジスタの１番目のラッチ回路に供給する一方、黒表示信号供給期間には上記走査開始信号を上記シフトレジスタのｍ番目のラッチ回路から連続したｋ個のラッチ回路に供給する走査開始信号供給手段を備えていることを特徴とする液晶表示装置。
【請求項７】
請求項６に記載の液晶表示装置において、
上記走査開始信号供給手段は、上記黒表示信号供給期間におけるラッチ回路番号ｍとラッチ回路数ｋを変更可能になっていることを特徴とする液晶表示装置。
【請求項８】
請求項７に記載の液晶表示装置において、
上記走査開始信号供給手段の動作を制御する供給制御手段を備えて、
上記供給制御手段は、外部からの走査開始位置指定信号に基づいて、上記ラッチ回路番号ｍを設定する制御信号を上記走査開始信号供給手段に出力することを特徴とする液晶表示装置。
【請求項９】
請求項１から８の何れか一つに記載の液晶表示装置において、
上記列線ドライバから供給されるデータ信号の電圧を設定するための信号用基準電源を備えて、
上記信号用基準電源の電圧は、上記第１表示モード時と第２表示モード時とで切り換え可能になっていることを特徴とする液晶表示装置。
【請求項１０】
請求項１から８の何れか一つに記載の液晶表示装置において、
上記表示制御部からの映像信号に基づいて画面上の同一位置に係るデータをモニタし、上記映像信号に基づく画像は動画であるか静止画であるかを判別して判別結果を表す指令信号を上記表示制御部に出力する動画静止画判別手段を備え、
上記表示制御部は、上記指令信号に応じて、上記制御信号を切り換え出力するようになっていることを特徴とする液晶表示装置。
【請求項１１】
請求項１から１０の何れか一つに記載の液晶表示装置において、
上記表示パネルを裏面側から照射するバックライトと、
上記第１表示モードと第２表示モードとで、上記バックライトの輝度を切り換えるバックライト調光手段を備えたことを特徴とする液晶表示装置。
【請求項１２】
請求項１から１１に記載の液晶表示装置において、上記黒表示信号発生手段は黒表示信号用電源であり、上記黒表示信号用電源の電圧が変更可能になっていることを特徴とする液晶表示装置。
【発明の詳細な説明】
【０００１】
【発明の属する技術分野】
この発明は、動画表示に優れた液晶表示方法および液晶表示装置に関する。
【０００２】
【従来の技術】
従来より、アクティブマトリックス型の液晶表示装置がある。このアクティブマトリックス型の液晶表示装置では、図３１に示すように、ソースドライバ１によって、映像信号から１水平ライン分のデータをサンプリングメモリ２にサンプリングする度に、このサンプリングしたデータをホールディングメモリ３に蓄える。また、液晶パネル側では、データを書き込むべき絵素行でなる水平ラインがゲートドライバ（図示せず）によって選択され、選択された絵素のＴＦＴ（薄膜トランジスタ）をオンする。その後、選択された水平ラインを構成する全絵素に、ホールディングメモリ３に蓄えられている１水平ライン分のデータ信号が、ＤＡコンバータ４によってＤＡ変換されて、ソースライン６を介して書き込まれる。
【０００３】
上述の動作が、全水平ラインに対して行われて１画面の映像書き込みが完了する。そして、これを１フレームとして繰り返すことによって、様々な映像の表示を可能にしている。このような表示動作を行うアクティブマトリックス型液晶表示装置は、ワードプロセッサやノートパソコンの表示部、あるいは、テレビ等に応用されている。
【０００４】
ところで、上記従来のアクティブマトリックス型の液晶表示装置においては、液晶の応答速度、特に中間調間の応答速度が上記１フレームの時間である１６．７ｍｓより遅いために、動画表示の場合に残像が見られるといった表示品位低下の問題がある。
【０００５】
また、上記ＴＦＴが非選択の間は、対応する絵素に書き込まれたデータ信号が保持され続ける。そのために、例え液晶の応答速度を速くしたとしても、人間の視線が動画を追跡するが故の網膜上の残像が存在する。その結果、表示品位が低下するという問題もある。
【０００６】
そこで、上記各問題を解決するために、次のような液晶表示方法が提案されている（文献１および文献２）。文献１「特開平１１−１０９９２１号公報」においては、画面を上下２分割して、フレーム時間の前半では、上画面を信号走査すると同時に下画面を黒信号（ブランキング）走査する。そして、フレーム時間の後半では、上記上画面を黒信号（ブランキング）走査すると同時に下画面を信号走査するようにしている。
【０００７】
また、文献２「“パイセルを用いた新動画対応ＬＣＤ”日本液晶学会誌、１９９９，ｖｏｌ．３，Ｎｏ．２」においては、画面を上下２分割すると共に、１フレーム時間を全画面のライン数の時間スロットに分割する。そして、第１スロットにおいては、上画面を信号走査すると同時に下画面も信号走査する。また、第２スロットにおいては、上記上画面を黒信号（ブランキング）走査すると同時に下画面も黒信号（ブランキング）走査を行うようにしている。このようにして、スロット毎に順次、信号走査と黒信号（ブランキング）走査を繰り返している。
【０００８】
上記各液晶表示方法によれば、一絵素に着目すると、１フレーム時間中に必ず画像表示期間と黒表示期間の両方があり、特に黒表示期間の存在によって、前後のフレームデータが混在することなく画像を表示することが可能となる。したがって、動画の表示性能を改善することができるのである。
【０００９】
【発明が解決しようとする課題】
しかしながら、上記文献２に開示された液晶表示方法においては、次のような問題がある。すなわち、１フレーム時間を全画面のライン数の時間スロットに分割し、さらに画面を上下２分割している。そして、第１スロットでは上画面を信号走査すると同時に下画面も信号走査する。一方、第２スロットでは、上記上画面を黒信号（ブランキング）走査すると同時に下画面も黒信号（ブランキング）走査している。このようにして、スロット毎に順次信号走査と黒信号（ブランキング）走査を繰り返している。したがって、上画面を走査し始めるときに下画面も同時に走査する必要があり、一度、１ライン分の画像データを記憶させておく必要がある。したがって、回路が複雑化して、コストアップにつながるという問題がある。
【００１０】
また、上記文献１に開示された液晶表示方法も同様の問題がある。すなわち、１フレーム時間を前半と後半とに分割し、さらに画面を上下２分割している。そして、１フレーム時間の前半では、上画面を信号走査すると同時に下画面を黒信号（ブランキング）走査する。一方、１フレーム時間の後半では、上画面を黒信号（ブランキング）走査すると同時に下画面を信号走査している。この場合には、上記文献２のような画像データの記憶は不要であるが、画面分割による回路の複雑化とコストアップという不具合はやはり生じる。
【００１１】
言うまでもないが、画面を分割化すると、例えばソースドライバが上下で２倍必要になり、コストアップになるのである。
【００１２】
そこで、この発明の目的は、文献１及び文献２のような画面分割は行わずに、特別な画面の記憶装置も必要とせずに、従来の液晶表示装置の最小限の改良によって動画表示品位を向上できる液晶表示方法および液晶表示装置を提供することにある。
【００１３】
【課題を解決するための手段】
上記目的を達成するため、第１の発明は、互いに平行に配列された複数の列線にデータ信号を供給し，上記列線に交差する方向に互いに平行に配列された複数の行線に選択信号を供給して，上記データ信号が供給された列線と上記選択信号が供給された行線との交差位置あるいは交差位置近傍の液晶でなる絵素に画像を表示する液晶表示方法であって、ｎ（ｎ：正の整数）本目の行線に上記選択信号を供給すると共に，上記列線にデータ信号を供給して，上記ｎ本目の行線と各列線との交差位置に係る絵素に上記データ信号に基づく画像を表示し、次に、ｍを正の整数として（ｎ＋ｍ）本目の行線に上記選択信号を供給すると共に，絵素に黒画像を表示させるための黒表示信号を上記列線に供給して，上記（ｎ＋ｍ）本目の行線と各列線との交差位置に係る絵素に上記黒画像を表示し、上記選択信号を供給する行線を順次シフトさせながら上記データ信号に基づく画像の表示動作と黒画像の表示動作とを繰り返し、上記選択信号を供給する（ｎ＋ｍ）本目の行線が最終行線を越える場合には，先頭行線に戻って１フレーム期間内に全絵素の夫々に対して上記データ信号に基づく画像および黒画像を表示することを特徴としている。
【００１４】
上記構成によれば、上記文献１および文献２の場合とは異なり、列線へのデータ信号供給と黒表示信号供給とが交互に行われ、上記選択信号を供給する行線が上記信号供給に同期して、ｎ，ｎ＋ｍ，ｎ＋１，ｎ＋ｍ＋１，ｎ＋２，ｎ＋ｍ＋２，…のごとくｎが順次増加される。こうして、画面を分割したり、１画面の画像データを記憶する回路を用いたりすることなく、総ての絵素に対して、データ信号が書き込まれ、さらにｍに応じた所定時間が経過した後に黒表示信号が供給され、次のフレームに新たに画像データ信号が書き込まれるまで黒表示信号が書き込まれた状態が保持されて、黒画像が表示される。したがって、白表示を行っている絵素が次のフレームで黒表示に変わる場合は、黒表示信号が書き込まれる前に既に黒画像が表示されていることになり、バックライトの光り漏れは起こらないのである。
【００１５】
また、動画における映像のエッジは、フレームの切り変わりで移動してフレーム期間には停止している。ところが、人間には映像は滑らかに移動していると感じられるために、映像のエッジが人間の視線よりも先に在る期間と後に在る期間とがあり、映像のエッジが滲んで見える。ところが、この発明においては、上述のように、上記映像を表示している絵素が次にデータ信号が印加されるまでに黒表示になって映像が消えるため、結果として映像のエッジが人間の視線よりも先に在る期間と後に在る期間とが短くなり、映像のエッジの滲みが低減されることになる。こうして、動画表示品位が向上される。
【００１６】
また、第２の発明は、互いに平行に配列された複数の列線にデータ信号を供給し，上記列線に交差する方向に互いに平行に配列された複数の行線に選択信号を供給して，上記データ信号が供給された列線と上記選択信号が供給された行線との交差位置あるいは交差位置近傍の液晶でなる絵素に画像を表示する液晶表示方法であって、ｎ本目の行線に上記選択信号を供給すると共に，上記列線にデータ信号を供給して，上記ｎ本目の行線と各列線との交差位置に係る絵素に上記データ信号に基づく画像を表示し、次に、上記ｎ本目の行線とは異なる複数本の行線に上記選択信号を同時に供給すると共に，絵素に黒画像を表示させるための黒表示信号を上記列線に供給して，上記複数本の行線と各列線との交差位置に係る絵素に上記黒画像を表示し、上記選択信号を供給する行線を順次シフトさせながら上記データ信号に基づく画像の表示動作と黒画像の表示動作とを繰り返し、上記同時に選択信号を供給する複数本の行線が最終行線を越える場合には，先頭行線に戻って１フレーム期間内に全絵素の夫々に対して上記データ信号に基づく画像および黒画像を表示することを特徴としている。
【００１７】
上記構成によれば、総ての絵素に対して、１フレーム期間の後半に複数回黒表示信号が供給される。したがって、上記黒表示信号供給時間が１回の黒表示信号供給だけでは十分な黒画像表示が行えない時間である場合でも、黒表示信号供給が複数回繰り返されることによって確実に黒表示が行われる。こうして、表示パネルの絵素密度が高密度であって行線数が多いために、黒表示信号供給時間が十分取れない場合でも、バックライトの光り漏れが起こらない高品位な動画表示が行われる。
【００１８】
また、上記第２の発明の液晶表示方法は、上記複数本の行線を、（ｎ＋α・ｍ）（α＝１，２，…，ｐ（ｐ：正の整数））本目の行線とすることが望ましい。
【００１９】
上記構成によれば、ある１本の水平ラインに着目すると、ｍ本の走査毎に黒表示が繰り返して行われることになる。こうして、直前のフレームの表示内容による液晶の誘電率の影響を無くして、さら高品位な表示が行われる。
【００２０】
また、上記第２の発明の液晶表示方法は、上記複数本の行線を、（ｎ＋α・ｍ）本目から（ｎ＋α・ｍ＋ｋ−１）（α＝１，２，…，ｐ（ｐ，ｋ：正の整数））本目までの行線とすることが望ましい。
【００２１】
上記構成によれば、ある１本の水平ラインに着目すると、ｍ本の走査毎にｋ回繰り返して黒表示が行われ、直前のフレームの表示内容の影響が更に無くなる。
【００２２】
また、上記第１の発明あるいは第２の発明の液晶表示方法は、上記データ信号の供給時間と上記黒表示信号の供給時間とを等しくすることが望ましい。
【００２３】
上記構成によれば、上記データ信号の供給時間と上記黒表示信号の供給時間とは等しいために、非常に簡単な切り換え制御処理によって上記データ信号の供給と上記黒表示信号の供給とが切り換えられる。
【００２４】
また、上記第１の発明あるいは第２の発明の液晶表示方法は、上記データ信号の供給時間を、上記黒表示信号の供給時間よりも長くすることが望ましい。
【００２５】
上記構成によれば、表示パネルの絵素密度が高密度であって行線数が多いために、データ信号供給時間が十分取れない場合にも対処できる。
【００２６】
また、上記第１の発明あるいは第２の発明の液晶表示方法は、上記ｍの値を、次式の関係を満たすように設定することが望ましい。
ｆ×ｍ／Ｎ＞ｔ
但し、Ｎ：行線数
ｆ：１フレーム時間
ｔ：白表示を黒表示へ切り換える際における液晶の応答時間
【００２７】
上記構成によれば、１フレーム期間における上記黒表示信号の供給時間が、白表示を黒表示へ切り換える場合の液晶の応答時間以上に設定される。こうして、上記データ信号に基づいて白画像が表示される絵素であっても次にデータ信号が印加されるまでに確実に黒表示が行われる。
【００２８】
また、上記第１の発明あるいは第２の発明の液晶表示方法は、上記ｋの値を、次式の関係を満たすように設定することが望ましい。
Ｔ×ｋ≧Ｔ０
但し、Ｔ：黒表示信号の１回の供給時間
Ｔ０：白表示を完全に黒表示に切り換えることができる
黒表示信号の最短時間
【００２９】
上記構成によれば、１フレーム期間における上記黒表示信号の供給時間が、黒表示信号のｋ回供給によって白表示を黒表示に切り換えることができる最短時間以上に設定される。こうして、上記黒表示信号の供給時間が不充分であるために黒表示信号をｋ回繰り返して供給する場合において、上記データ信号に基づいて白画像が表示される絵素であっても次にデータ信号が印加されるまでに確実に黒表示が行われる。
【００３０】
また、上記第１の発明あるいは第２の発明の液晶表示方法は、上記データ信号が黒表示用のデータ信号である場合の電圧Ｖｄと上記黒表示信号の電圧Ｖｒとを、下記の関係を満たすように設定することが望ましい。
対向電極の電位レベルに対して正極性の場合には
ノーマリホワイト時はＶｄ＜Ｖｒ、
ノーマリブラック時はＶｄ＞Ｖｒ
対向電極の電位レベルに対して負極性の場合には
ノーマリホワイト時はＶｄ＞Ｖｒ
ノーマリブラック時はＶｄ＜Ｖｒ
【００３１】
上記構成によれば、黒表示信号の供給時間が不足して十分な黒表示を行うことができない場合でも、上記黒表示信号の電圧を大きめ（小さめ）に設定しておくことで、確実に黒表示が行われる。
【００３２】
また、第３の発明は、互いに平行に配列された複数の列線，上記列電極に交差する方向に互いに平行に配列された複数の行線，上記列線と上記行線との交差位置あるいは交差位置近傍の液晶でなる絵素が少なくとも形成された表示パネルと，上記列線にデータ信号を供給する列線ドライバと，上記行線に選択信号を供給する行線ドライバを有する液晶表示装置において、上記列線ドライバに映像信号及び制御信号を供給する一方，上記行線ドライバに制御信号を供給して，上記表示パネルに対する画像表示動作を制御する表示制御部と、上記絵素に黒画像を表示させるための黒表示信号を発生する黒表示信号発生手段と、上記列線ドライバに設けられて，上記表示制御部からの映像信号に基づくデータ信号と上記黒表示信号発生手段からの黒表示信号とを交互に切り替え選択する切替スイッチを備えて、上記表示制御部は，上記行線を順次選択させるための上記制御信号を上記行線ドライバに供給すると共に，上記切替スイッチがデータ信号を選択している際にはｎ本目の行線に選択信号を供給させる一方，上記切替スイッチが黒表示信号を選択している際には（ｎ＋ｍ）本目の行線に選択信号を供給させることを特徴としている。
【００３３】
上記構成によれば、表示制御からの制御信号に基づいて、行線ドライバおよび列線ドライバが次のように制御される。すなわち、上記列線ドライバの切替スイッチによってデータ信号が選択されて列線に供給される場合には、上記行線ドライバによってｎ本目の行線が選択される。一方、上記切替スイッチによって黒表示信号が選択されて列線に供給される場合には、（ｎ＋ｍ）本目の行線が選択される。こうして、総ての絵素に対して、データ信号が書き込まれ、さらにｍに応じた所定時間が経過した後に黒表示信号が供給され、次のフレームに新たに画像データ信号が書き込まれるまで黒表示信号が書き込まれた状態が保持されて、黒画像が表示される。したがって、白表示を行っている絵素が次のフレームで黒表示に変わる場合は、黒表示信号が書き込まれる前に既に黒画像が表示されていることになり、バックライトの光り漏れは起こらないのである。
【００３４】
また、第４の発明は、互いに平行に配列された複数の列線，上記列電極に交差する方向に互いに平行に配列された複数の行線，上記列線と上記行線との交差位置あるいは交差位置近傍の液晶でなる絵素が少なくとも形成された表示パネルと，上記列線にデータ信号を供給する列線ドライバと，上記行線に選択信号を供給する行線ドライバを有する液晶表示装置において、上記列線ドライバに映像信号及び制御信号を供給する一方，上記行線ドライバに制御信号を供給して，上記表示パネルに対する画像表示動作を制御する表示制御部と、上記絵素に黒画像を表示させるための黒表示信号を発生する黒表示信号発生手段と、上記列線ドライバに設けられて，上記表示制御部からの映像信号に基づくデータ信号と上記黒表示信号発生手段からの黒表示信号とを交互に切り替え選択する切替スイッチを備えて、上記表示制御部は，上記行線を順次選択させるための上記制御信号を上記行線ドライバに供給すると共に，上記切替スイッチがデータ信号を選択している際にはｎ本目の行線に選択信号を供給させる一方，上記切替スイッチが黒表示信号を選択している際には上記ｎ本目の行線とは異なる複数本の行線に選択信号を供給させることを特徴としている。
【００３５】
上記構成によれば、表示制御からの制御信号に基づいて、行線ドライバおよび列線ドライバが次のように制御される。すなわち、上記列線ドライバの切替スイッチによってデータ信号が選択されて列線に供給される場合には、上記行線ドライバによってｎ本目の行線が選択される。一方、上記切替スイッチによって黒表示信号が選択されて列線に供給される場合には、ｎ本目とは異なる複数本の行線が選択される。したがって、上記黒表示信号供給時間が１回の黒表示信号供給だけでは十分な黒画像表示が行えない時間である場合でも、黒表示信号供給が複数回繰り返されることによって確実に黒表示が行われる。こうして、表示パネルの絵素密度が高密度であって行線数が多いために、黒表示信号供給時間が十分取れない場合でも、バックライトの光り漏れが起こらない高品位な動画表示が行われる。
【００３６】
また、上記第３の発明あるいは第４の発明の液晶表示装置は、上記行線をｍ本毎にＬ（Ｌ：正の整数）個のブロックに分割し、上記行線ドライバを各ブロックの行線に選択信号を供給するＬ個の部分行線ドライバで構成することが望ましい。
【００３７】
上記構成によれば、上記切替スイッチによってデータ信号が列線に供給される場合には、ある１つの部分行線ドライバによって、当該部分行線ドライバに接続されたｎ本目の行線が選択される。一方、上記切替スイッチによって黒表示信号が列線に供給される場合には、上記部分行線ドライバの後列に位置する部分行線ドライバによって、当該部分行線ドライバに接続されたｎ本目の行線が選択される。こうして、簡単な制御によって（ｎ＋ｍ）本の行線の選択動作が行われる。
【００３８】
また、上記第３の発明あるいは第４の発明の液晶表示装置は、上記表示制御部から上記列線ドライバへの制御信号は，上記切替スイッチの切替動作を制御するための切替制御信号を含み、上記切替制御信号は、上記データ信号の選択時間を黒表示信号の選択時間よりも長くするようになっていることが望ましい。
【００３９】
上記構成によれば、上記データ信号の供給時間は上記黒表示信号の供給時間よりも長くなる。したがって、表示パネルの絵素密度が高密度であって行線数が多いために、データ信号供給時間が十分取れない場合にも対処できる。
【００４０】
また、上記第３の発明あるいは第４の発明の液晶表示装置は、上記表示制御部から上記列線ドライバへの制御信号は，上記切替スイッチの切替動作を制御するための切替制御信号を含み、上記切替制御信号は、上記データ信号の選択時間と上記黒表示信号の選択時間とは等しくするようになっていることが望ましい。
【００４１】
上記構成によれば、上記データ信号の供給時間と上記黒表示信号の供給時間とは等しいために、非常に簡単な切り換え制御処理によって上記データ信号の供給と上記黒表示信号の供給とが切り換えられる。
【００４２】
また、上記第４の発明の液晶表示装置は、上記表示制御部から上記行線ドライバへの制御信号は，上記黒表示信号を供給する黒表示信号供給期間であるか否かを識別するための識別信号を含み、上記行線ドライバは，上記識別信号に基づいて，上記黒表示信号供給期間には（ｎ＋ｍ）本目から（ｎ＋ｍ＋ｋ−１）本目までの行線に上記選択信号を供給するようになっていることが望ましい。
【００４３】
上記構成によれば、総ての絵素に対して、次にデータ信号が印加されるまでにｍに応じた所定時間中にｋ回黒表示信号が供給される。したがって、上記ｍに応じた黒表示信号供給時間が黒画像表示を行うためには不十分な時間である場合でも、黒表示信号供給がｋ回繰り返されることによって確実に黒表示が行われる。こうして、表示パネルの絵素密度が高密度であって行線数が多いために、黒表示信号供給時間が十分取れない場合でも、バックライトの光り漏れが起こらない高品位な動画表示が行われる。
【００４４】
また、上記第４の発明の液晶表示装置発明は、上記表示制御部から上記行線ドライバへの制御信号は走査開始信号を含み、上記行線ドライバは、複数のラッチ回路を有するシフトレジスタと、上記識別信号に基づいて，データ信号供給期間には上記走査開始信号を上記シフトレジスタの１番目のラッチ回路に供給する一方，黒表示信号供給期間には上記走査開始信号を上記シフトレジスタのｍ番目のラッチ回路から連続したｋ個のラッチ回路に供給する走査開始信号供給手段を備えていることが望ましい。
【００４５】
上記構成によれば、次にデータ信号が印加されるまでにｋ回黒表示信号を供給できる行線ドライバが、シフトレジスタを有する行線ドライバに走査開始信号供給手段を設ける簡単な構成で実現される。
【００４６】
また、上記第４の発明の液晶表示装置は、上記走査開始信号供給手段を、上記黒表示信号供給期間におけるラッチ回路番号ｍとラッチ回路数ｋとを変更可能に成すことが望ましい。
【００４７】
上記構成によれば、ラッチ回路番号ｍが変更されることによって、次にデータ信号が印加されるまでに黒画像を表示する時間が変更される。また、ラッチ回路数ｋが変更されることによって、次にデータ信号が印加されるまでに黒表示信号が供給される回数が変更される。
【００４８】
また、上記第４の発明の液晶表示装置は、上記走査開始信号供給手段の動作を制御する供給制御手段を備えて、上記供給制御手段は，外部からの走査開始位置指定信号に基づいて，上記ラッチ回路番号ｍを設定する制御信号を上記走査開始信号供給手段に出力することが望ましい。
【００４９】
上記構成によれば、外部からの信号に基づいて、次にデータ信号が印加されるまでに黒画像を表示する時間が変更される。
【００５０】
また、上記第３の発明あるいは第４の発明の液晶表示装置は、上記表示制御部を、外部からの指令信号に応じて、上記切替スイッチの動作に基づく黒表示信号の供給動作を行う第１表示モード用の制御信号と、上記切替スイッチの動作停止させて黒表示信号の供給動作を行わない第２表示モード用の制御信号とを切り換え出力するように成すことが望ましい。
【００５１】
上記構成によれば、表示モードが、各フレーム毎に上記切替スイッチの動作に基づいて黒表示信号を上記列線に供給するために消費エネルギーが多くなる第１表示モードと、消費エネルギーが少ない通常の第２表示モードとに切り換えられて、常時、表示モードを上記第１モードに固定しておくことによるエネルギーの浪費が防止される。
【００５２】
また、上記第３の発明あるいは第４の発明の液晶表示装置は、上記列線ドライバから供給されるデータ信号の電圧を設定するための信号用基準電源を備えて、上記信号用基準電源の電圧は、上記第１表示モード時と第２表示モード時とで切り換え可能になっていることが望ましい。
【００５３】
上記構成によれば、上記データ信号が書き込まれた後に黒表示信号が供給されて、次のフレームに新たに画像データ信号が書き込まれる前に黒画像を表示するために液晶の透過率が低くなる第１表示モードの場合には、信号用基準電源の電圧が切り換えられてデータ信号の電圧が上記液晶の透過率低下に応じて設定される。こうして、第１表示モードと第２表示モードとの間で一定の階調バランスが保たれる。
【００５４】
また、上記第３の発明あるいは第４の発明の液晶表示装置は、上記表示制御部からの映像信号に基づいて画面上の同一位置に係るデータをモニタし、上記映像信号に基づく画像は動画であるか静止画であるかを判別して判別結果を表す上記指令信号を上記表示制御部に出力する動画静止画判別手段を備えることが望ましい。
【００５５】
上記構成によれば、動画静止画判別手段によって上記映像信号に基づいて動画であるか静止画であるかが判別され、判別結果を表す指令信号が上記表示制御部に出力される。こうして、表示品位が低下しやすい動画表示時に、自動的に上記表示制御部から第１表示モード用の制御信号が出力され、１フレーム期間にデータ信号が書きこまれた後、次のフレームにデータ信号が印加されるまでに黒画像が表示されて表示品位が向上される。
【００５６】
また、上記第３の発明あるいは第４の発明の液晶表示装置は、上記表示パネルを裏面側から照射するバックライトと、上記指令信号に基づいて，上記第１表示モードと第２表示モードで上記バックライトの輝度を切り換えるバックライト調光手段を備えることが望ましい。
【００５７】
上記構成によれば、１フレーム期間において、データ信号が書き込まれた後に次のフレームにデータ信号が印加されるまで黒画像を表示するために液晶の透過率が低くなる第１表示モードの場合には、バックライト調光手段によってバックライトの輝度が上げられ、通常の第２表示モードの場合には、バックライトの輝度が下げられる。こうして、常時、上記バックライトの輝度を上げておくことによるエネルギーの浪費が防止される。
【００５８】
また、上記第３の発明あるいは第４の発明の液晶表示装置は、上記黒表示信号発生手段を黒表示信号用電源で構成し、上記黒表示信号用電源の電圧を上記第１表示モード時と上記第２表示モード時とで切り換え可能に成すことが望ましい。
【００５９】
上記構成によれば、１フレーム期間において、データ信号が書きこまれた後に次のフレームにデータ信号が印加されるまで黒画像を表示する第１表示モードの場合には、黒表示信号用電源の電圧が切り換えられて確実に黒表示が行われる。
【００６０】
【発明の実施の形態】
以下、この発明を図示の実施の形態により詳細に説明する。
＜第１実施の形態＞
図１は、本実施の形態における液晶表示装置としてのアクティブマトリックス型液晶表示装置の概略構成図である。本実施の形態における液晶表示装置は、液晶パネル１１と複数のソースドライバ１２と複数のゲートドライバ１３を有している。液晶パネル１１は、ＴＦＴ基板１４と対向基板１５を有しており、ＴＦＴ基板１４上には、マトリックス状に配列された絵素電極１６と、この絵素電極１６にドレインが接続されたＴＦＴ１７と、各行のＴＦＴ１７におけるゲートに共通に接続されて平行に配列されたゲートラインＧと、各列のＴＦＴ１７におけるソースに共通に接続されて平行に配列されたソースラインＳが形成されている。また、ＴＦＴ基板１４に所定間隔で対向する対向基板１５には、絵素電極１６に対向する対向電極１８が形成されている。また、図示してはいないが、絵素電極１６と対向電極１８との間には、液晶が挟持されている。
【００６１】
ここで、本実施の形態における液晶パネル１１は、上記ゲートラインＧが４８０本であり、ソースラインＳが６４０（カラー表示の場合には３倍）本であるＶＧＡ（ビデオ・グラフィックス・アレイ）パネルを用いている。そして、４８０本のゲートラインＧは、１６０本ずつ３つのグループに分割されて各グループ毎に第１ゲートドライバ１３ａ〜第３ゲートドライバ１３ｃに接続されている。同様に、ソースラインＳは、複数のグループに分割されて各グループ毎にソースドライバ１２に接続されている。
【００６２】
表示制御部２０は、クロック信号生成手段を有し、生成した上記クロック信号を入力された映像信号と共に、１番目のソースドライバ１２に出力する。また、走査開始信号生成手段および識別信号生成手段を有し、生成した走査開始信号および識別信号をクロック信号と共に各ゲートドライバ１３に出力する。動画／静止画判別回路２１は、表示制御部２０から受けた映像信号に基づいて、画面上の数点のデータをモニターすることによって、動画像主体の動画か静止画像主体の静止画かを判別する。そして、判別結果を表示制御部２０に返す。そうすると、表示制御部２０は、上記判別結果に基づいて上記クロック信号の一つである切替クロック信号，識別信号および走査開始信号を動画用と静止画用との何れかに切り換えるのである。
【００６３】
さらに、上記動画／静止画判別回路２１からの判別結果は、信号用基準電源２２，黒信号用電源２４およびバックライト調光回路２３にも出力される。そうすると、上記信号用基準電源２２及び黒信号用電源２４は、上記判別結果に応じたデータ信号用基準電圧及び黒信号用電圧を各ソースドライバ１２に送出する。また、バックライト調光回路２３は、上記判別結果に応じてバックライト（図示せず）を調光する。尚、黒信号用電源２４は、後に詳述するリセット信号（黒信号）を生成する際に用いられる電源である。
【００６４】
図２は、上記ソースドライバ１２の概略構成図である。但し、１本のソースラインＳに関する構成で代表して表示しており、全てのソースラインＳに関して同様の構成のものが設けられている。映像信号から１絵素（１水平ライン）分のデータがサンプリングメモリ３１にサンプリングされ、このサンプリングされたデータがホールディングメモリ３２に蓄えられる。そして、ＤＡコンバータ３３によって信号用基準電源２２からの信号用基準電圧を用いてＤＡ変換されて、切替スイッチ３４に送出される。
【００６５】
上記切替スイッチ３４には、上記サンプリングメモリ３１，ホールディングメモリ３２およびＤＡコンバータ３３に供給されるサンプリングクロック信号を分周したクロック信号であって、全ソースドライバ１２，１２，…のサンプリングメモリ３１，３１，…に１水平ライン分のデータがサンプリングされる時間を周期とする上記切替クロック信号が入力される。そして、切替スイッチ３４は、上記切替クロック信号のレベルが、例えば「Ｈ」の場合にはＤＡコンバータ３３からのデータ信号を選択して対応するソースラインＳに出力する。一方、「Ｌ」の場合には黒信号用電源２４からの黒信号電圧を選択し、対応するソースラインＳに上記リセット信号として出力するのである。
【００６６】
尚、上記ソースドライバ１２は、図３に示すように構成しても差し支えない。すなわち、図２に示すソースドライバ１２においては、切替スイッチ３４をＤＡコンバータ３３の後段に位置させているが、図３においては、切替スイッチ３５をホールディングメモリ３８の前段に位置させるのである。そして、切替スイッチ３５は、上記切替クロック信号のレベルが、例えば「Ｈ」の場合にはサンプリングメモリ３７からの映像信号を選択してホールディングメモリ３８に送出する。一方、「Ｌ」の場合には黒信号データ生成部３６からの黒信号データを選択してホールディングメモリ３８に送出する。そして、ＤＡコンバータ３８によって信号用基準電源２２からの信号用基準電圧を用いてＤＡ変換されて、対応するソースラインＳに出力される。こうして、１水平ライン分のデータがサンプリングされる時間の前半には上記映像信号に基づくデータ信号がソースラインＳに出力される一方、後半には上記黒信号データに基づく上記リセット信号がソースラインＳに出力されるのである。
【００６７】
図４は、上記ゲートドライバ１３の概略構成図である。但し、この発明におけるゲートドライバ１３の構成は、これに限定されるものではない。本実施の形態のゲートドライバ１３はシフトレジスタ４１を有し、このシフトレジスタ４１を構成する各ラッチ回路（図示せず）からの出力信号は出力回路４２に供給される。そして、この出力回路４２によって、ゲートラインＧにレベル「Ｈ」あるいはレベル「Ｌ」のゲート電圧が印加されてゲートラインＧが選択されるのである。
【００６８】
上記シフトレジスタ４１は、上記表示制御部２０からのクロック信号に基づいて、１番目のラッチ回路に供給される走査開始信号を順次次のラッチ回路にシフトして、ゲートラインＧを順次選択して行く。その場合、上記走査開始信号は、表示制御部２０からの識別信号を制御信号として開閉するアナログスイッチ４３にも入力されており、上記識別信号のレベルが例えば「Ｈ」となってアナログスイッチ４３が開放することによって、シフトレジスタ４１における２番目〜４番目のラッチ回路にも上記走査開始信号が供給されるようになっている。
【００６９】
上記構成を有する液晶表示装置は、以下のように動作して動画像表示を行う。すなわち、図５は、３つのゲートドライバ１３ａ，１３ｂ，１３ｃに関する駆動信号および各ゲートラインＧに出力される選択信号のタイミングチャートである。図５から分かるように、表示制御部２０から、中央に位置する第２ゲートドライバ１３ｂには、一端に位置する第１ゲートドライバ１３ａに供給されるクロック信号よりも半周期遅れたクロック信号が供給される。さらに、他端に位置する第３ゲートドライバ１３ｃには、第２ゲートドライバ１３ｂに供給されるクロック信号よりも半周期遅れたクロック信号が供給される。また、各ゲートドライバ１３ａ〜１３ｃに表示制御部２０から供給される上記走査開始信号は、１クロック目と３２１クロック目とに１パルスが存在するパルス信号であり、各ゲートドライバ１３に１６０クロック分位相をずらして入力される。さらに、各ゲートドライバ１３ａ〜１３ｃに表示制御部２０から供給される上記識別信号は、例えば３２０クロック分の「Ｌ」レベルと１６０クロック分の「Ｈ」レベルとが存在し、各ゲートドライバ１３に１６０クロック分位相をずらして入力される。
【００７０】
その結果、先ず、上記第１ゲートドライバ１３ａによって１番目のゲートラインＧ１が選択される。そうした後に、第２ゲートドライバ１３ｂによって１番目〜４番目のゲートラインＧ、つまり全体としては１６１番目〜１６４番目のゲートラインＧ１６１〜Ｇ１６４が選択される。次に、第１ゲートドライバ１３ａによって２番目のゲートラインＧ２が選択された後に、第２ゲートドライバ１３ｂによって１６２番目〜１６５番目（２番目〜５番目）のゲートラインＧ１６２〜Ｇ１６５が選択される。以後、同様にして２つのゲートドライバ１３ａ，１３ｂによって順次選択が行われ、やがて第２ゲートドライバ１３ｂによって３２０番目（１６０番目）のゲートラインＧ３２０が選択される。
【００７１】
そうすると、次に上記第２ゲートドライバ１３ｂによって１番目のゲートラインＧ、つまり全体としては１６１番目のゲートラインＧ１６１が選択された後、第３ゲートドライバ１３ｃによって１番目〜４番目のゲートラインＧ、つまり全体としては３２１番目〜３２４番目のゲートドライバＧ３２１〜Ｇ３２４が選択される。次に第２ゲートドライバ１３ｂによって１６２番目（２番目）のゲートラインＧ１６２が選択された後に、第３ゲートドライバ１３ｃによって３２２番目〜３２５番目（２番目〜５番目）のゲートラインＧ３２２〜Ｇ３２５が選択される。以後、同様にして２つのゲートドライバ１３ｂ，１３ｃによって順次選択が行われ、やがて第３ゲートドライバ１３ｃによって４８０番目（１６０番目）のゲートラインＧ４８０が選択される。
【００７２】
そうすると、次に、上記第３ゲートドライバ１３ｃによって１番目のゲートラインＧ、つまり全体としては３２１番目のゲートラインＧ１６１が選択された後、再び第１ゲートドライバ１３ａによって１番目〜４番目のゲートラインＧ１〜Ｇ４が選択されるのである。そして、第３ゲートドライバ１３ｃによって４８０番目（１６０番目）のゲートラインＧ４８０が選択された後、第１ゲートドライバ１３ａによって１６０番目のゲートラインＧ１６０が選択されると、１フレームの走査が終了するのである。
【００７３】
尚、図５に示すタイミングチャートは、上述したように、１６０クロック分の「Ｈ」レベルが存在する識別信号を順次各ゲートドライバ１３ｂ〜１３ａに与えた場合であり、識別信号のレベルが「Ｈ」であるゲートドライバ１３のアナログスイッチ４３がオンとなるため、そのゲートドライバ１３では連続した４本のゲートラインＧが選択される。これに対して、全レベルが「Ｌ」である識別信号を各ゲートドライバ１３に与えた場合には、総てのゲートドライバ１３のアナログスイッチ４３はオフであるため、図６に示すように隣接する２つのゲートドライバ１３によって、交互に且つシフトしながら１本ずつのゲートラインＧが選択されることになる。
【００７４】
以下、具体的に、本実施の形態における液晶表示装置による画像表示動作について説明する。上述のようにして、ソースドライバ１２の列は、ホールディングメモリ３２に蓄えられたデータ信号と上記リセット信号とを交互に出力する。その場合における両信号の出力時間の幅は互いに等しくなるように、切替スイッチ３４に入力される切替クロックのパルス幅が設定されている。尚、本実施の形態における上記出力時間の幅は、およそ１６．７ｍｓ（１フレーム時間）／４８０本／２≒約１７μｓである。
【００７５】
また、上記水平ラインを選択するゲートドライバ１３には、上述したようなクロック信号および走査開始信号と、全レベルが「Ｌ」である識別信号とが入力されるものとする。そうすると、図６に示すようにｎ番目のゲートラインＧが選択された後には（ｎ＋１６０）番目のゲートラインＧが選択される。更に、（ｎ＋１）番目のゲートラインＧが選択された後には（ｎ＋１６１）番目のゲートラインＧが選択される。但し、（ｎ＋ｍ）がライン数より多い場合には、最終ラインに続いて先頭ラインから数えて選択ラインが求められる。各ゲートラインＧの選択時間の幅は、ソースラインＳへの信号の出力時間の幅と同じく約１７μｓである。その場合、ソースドライバ１２が上記データ信号を出力する際にｎ番目のゲートラインＧを選択し、ソースドライバ１２が上記リセット信号を出力する際に（ｎ＋１６０）番目のゲートラインＧを選択するように、上記切替クロックと走査開始信号とのタイミングを設定しておく。
【００７６】
上述のごとく、上記データ信号を出力したゲートラインＧの１６０本先のゲートラインＧ（ｍ＝１６０）に上記リセット信号を与えるのは、次の理由による。すなわち、液晶の透過率が１００％から１０％まで変化する応答時間は約４ｍｓである。そして、あるゲートラインＧに接続されたある絵素の絵素電極にリセット信号が印加された場合、次にデータ信号が印加されるまでに概ね黒表示になっている必要がある。したがって、次の関係が成立する。
ｆ×ｍ／Ｎ＞４ｍｓ
但し、ｆ：１フレーム時間（１６．７ｍｓ）
Ｎ：総ゲートライン数（４８０本）
したがって、ｍ＞１１５である必要がある。
【００７７】
ここで、本実施の形態においては、１６０本のゲートラインＧに接続されたゲートドライバ１３を３個一直線状に配置して４８０本を走査するようになっている。したがって、ｍ＝１６０とすれば、現在データ信号を出力しているゲートドライバ１３の次のゲートドライバ１３から、データ信号が出力されているゲートラインＧの番号と同じ番号のゲートラインＧにリセット信号を出力するという非常に簡単な制御によって、ｍ＞１１５の条件をクリアできるのである。
【００７８】
このような画像表示動作による表示結果について、従来の液晶表示装置による表示結果と比較すると次のようになる。ここで、説明に用いる画像は、図７に示すように、黒の背景５１の中央に３絵素分の幅を有する白帯５２が縦方向に配列されている。そして、この白帯５２は、矢印（Ａ）のごとく１フレーム毎に１絵素ずつ移動して行く動画像であるとする。
【００７９】
先ず、従来の液晶表示装置による画像表示方法に付いて述べる。従来の液晶表示装置による１フレーム期間の画像表示シーケンスを図８に示す。次々送られてくる映像信号の１水平ライン分が、ソースドライバ１のサンプリングメモリ２にサンプリングされてホールディングメモリ３に一旦蓄えられる。そして、ホールディングメモリ３から読み出された１水平ライン分のデータ信号が、ゲートドライバによって選択された１水平ラインを構成する絵素行に書き込まれる。それと同時に、２水平ライン目のデータ信号がサンプリングメモリ２サンプリングされてホールディングメモリ３の内容が書き換えられる。これを４８０水平ライン分繰り返して１フレーム分のデータ信号書き込みが完了する。
【００８０】
尚、液晶は、ノーマリホワイトタイプのＴＮ（捩れネマチック）モードを採用している。また、その特性は、透過率が０％→９０％に達する時間が約２０ｍｓであり、１００％→１０％に達する時間は約４ｍｓである。
【００８１】
上述のような動画像を、従来の液晶表示装置の画像表示シーケンスによって表示した場合には、図９に示すように、白帯５２から背景５１に変化した絵素列５３に明らかな残像（画像の滲み）が見られる。この原因は、以下のように説明される。すなわち、図１０は、図７における白帯５２の進行方向前方において白帯５２に隣接する任意の絵素５４における各フレーム毎の透過率変化を示す。この透過率変化は、理想的には、第１フレームでは黒表示（透過率＜１０％）であり、第２フレーム〜４フレームまでは白表示（透過率＞９０％）であり、第５フレームでは再び黒表示に戻るはずである。ところが、上述のように、透過率が０％から９０％に達するまでの時間が約２０ｍｓであり、１００％から１０％に達するまでの時間が約４ｍｓという液晶の特性を有している。そのために、第１フレームでは黒表示であった絵素５４に第２フレームで白信号を書き込んだ場合に、絵素５４の液晶はフレーム時間内に応答を完了できずに第３フレームで略完了することになる。したがって、第４フレームでは本来の白表示となる。そして、第５フレームでは黒信号が書き込まれるのであるが、透過率が１００％から１０％に達する時間が約４ｍｓであるために、絵素列５３で示すように若干の光漏れが観察されるのである。したがって、従来の画像表示シーケンスでは、白帯５２の幅が明瞭に３絵素分には見えないのである。
【００８２】
次に、本実施の形態の液晶表示装置における画像表示動作に付いて説明する。本液晶表示装置では、１フレーム期間内に黒表示を達成できる電圧のリセット信号を各水平ラインのデータ信号書き込み間に書き込むのである。本実施の形態の液晶表示装置における画像表示シーケンスを図１１に示す。尚、図１１（ｂ）に、図１１（ａ）における書き込みおよびリセット期間の具体的内容を示す。図１１に示すように、本実施の形態においては、データ信号の書き込みとリセット信号の書き込みとをサンプリング周期の１／２周期で交互に行う。その場合、リセット信号の書き込みは、データ信号書き込み水平ラインの１６０本先の水平ラインに対して行うのである。
【００８３】
本実施の形態においては、このような画像表示シーケンスを採用することによって、図１２に示すように、白帯６２から背景６１に変化した絵素列６３に、残像（画像の滲み）は確認されない。この理由は、以下のように説明できる。図１３は、図１２における白帯６２の進行方向前方において白帯６２に隣接する任意の絵素６４（図７における絵素５４に相当）における各フレーム毎の透過率変化を示す。この絵素６４は、第１フレームでは黒表示である。そして、第２フレームでは白信号が書き込まれるのであるが、フレーム時間内のある時点（当該絵素６４が属する水平ラインの１６０本後方の水平ラインに対して白信号が書き込まれた次の時点）ａで黒信号が書き込まれる。そして、この黒信号の電圧は上述のように１フレーム期間内に黒表示を達成できる電圧であり、第２フレームの残り時間内で透過率が１０％に達するように上記時点ａは設定してある。したがって、次のフレームまでには黒表示へ戻ることができるのである。
【００８４】
このことは、第３，第４フレームにおいても同様である。したがって、第２〜第４フレームにおいて、絵素６４には同じ時間だけ白信号が書き込まれることになり、各フレームにおける最大透過率は同じになる。その結果、第２〜第４フレームにおいては同じ輝度の表示を行うことができるのである。さらに、第５フレームでは、第４フレームの時点ａ以降において既に黒信号が書き込まれているために開始時点で透過率が１０％以下を呈し、光漏れが観察されないのである。
【００８５】
また、本実施の形態の画像表示シーケンスによる残像の低減は、以下の理由によっても説明できる。説明を簡単にするために、液晶の応答時間が無限小のケースについて説明する。説明に用いる画像は上述のような３絵素幅の白帯が１フレーム毎に１絵素ずつ一方向に移動していく動画像であり、図１４に任意の水平ラインにおける白帯の移動の様子を示す。また、無限小応答時間における透過率の応答波形を、従来の画像表示シーケンスの場合を図１５に示し、本実施の形態の画像表示シーケンスの場合を図１６に示す。
【００８６】
図１７は、従来の画像表示シーケンスによる任意の水平ラインにおける白帯の移動の様子を示す。任意の絵素に書き込まれたデータ信号はフレーム期間中保持されるために、白帯は１フレーム期間中停止している。そして、次のフレーム期間に入ると１絵素分移動して再び１フレーム期間中停止している。以後は上述のことを繰り返す。そして、上述の白帯の動きを人間が観察した場合には、白帯が滑らかに移動する動画として認識するのである。言い換えると、１フレーム毎に白帯が静止していることを認識できないのである。そのために、図１７中に、破線の矢印（Ｂ），（Ｃ）で示すように、人間の視点は一定の速度で移動することになる。
【００８７】
したがって、人間の網膜では、図１８に示すように、動きを加味した輝度が感じられるのである。その結果、データ信号に基づく実際の白帯の映像よりも、両エッジが鈍った形に見えて、滲んだ残像を感じることになる。換言すれば、１フレーム毎に白帯が静止しているにも拘わらず人間の目は滑らかに移動していると感じるために、１フレームの前半では記号「ｂ」で示すように白帯が人間の視線より先に在り、１フレームの後半では人間の視線が白帯を追い越しているため記号「ｃ」で示すように視線の後に白帯が在ることになる。そして、人間の網膜上には白帯映像の「在る／無し」が平均化された像が投影されるために、エッジが鈍って滲んだ白帯映像が見えるのである。以上のごとく、従来の画像表示シーケンスでは、必ず動画の滲みが感じられるのである。
【００８８】
次に、本実施の形態の液晶表示装置における画像表示シーケンスの場合に付いて説明する。図１９は、本実施の形態の画像表示シーケンスによる任意の水平ラインにおける白帯の移動の様子を示す。この画像表示シーケンスでは、リセット信号の書き込みライン番号とデータ信号の書き込みライン番号との差である「ｍ」を「１６０」に設定しているため、１フレーム期間中の前半２／３だけデータ信号が保持され、後半１／３は黒信号が保持されて黒表示になる。すなわち、１フレーム期間中の前半２／３だけ白帯が停止して、後半１／３では白帯が消えることになる。したがって、白帯の表示期間を１フレーム期間の２／３に縮めることができ、図１９と図１７との比較から明らかなように、記号「ｂ」で示す白帯が人間の視線より先に在る期間と記号「ｃ」で示す視線の後に在る期間とを短くできる。そのため、結果的に図２０に示すように白帯映像のエッジの滲みを低減できるのである。
【００８９】
上述の説明においては、簡単のために液晶の応答時間が無限小であると仮定したが、フレーム毎に黒表示が行われれば液晶の応答時間が無限小でなくとも同じ効果が得られることは上述の説明から明らかである。
【００９０】
ところで、図１５と図１６との比較から分かるように、本実施の形態においては、表示絵素に関して、各フレーム毎に、黒透過率から任意の透過率になる過程と任意の透過率から黒透過率になる過程とを含むために、従来の画像表示シーケンスを適用した場合よりも実質的に透過率が低くなる。したがって、従来の画像表示シーケンスを適用した場合と同等の輝度を得るためには、バックライトの輝度を増加させる必要がある。
【００９１】
そこで、本液晶表示装置を携帯機器に採用することを考慮して、画面上の数点をモニターして、現在表示されている画像は動画主体の画像か静止画主体の画像かを自動的に判別する動画／静止画判別回路２１を設けている。そして、動画／静止画判別回路２１の判別結果に応じて、バックライト調光回路２３によって、動画像であると判別された場合にはバックライトの輝度を増加させるのである。また、静止画像であると判別された場合には上記バックライトの輝度を低下させるのである。こうすることによって、常時、動画像に合せたバックライトの輝度に固定しておく場合に比して消費電力を低減することができ、動画表示品位に優れた携帯用の液晶表示装置を必要最小限の消費電力アップで得ることができるのである。
【００９２】
尚、上記動画／静止画判別回路２１を設ける代わりに、本実施の形態の画像表示シーケンスと従来の画像表示シーケンスとを選択するスイッチを設け、何れかの画像表示シーケンスをユーザが選択可能にしても差し支えない。そして、本実施の形態の画像表示シーケンス側に上記スイッチが切り換えられた場合には、同期してバックライト調光回路２３によってバックライトの輝度を増加させるのである。この場合にも動画表示品位に優れた液晶表示装置を最小限の消費電力アップで得ることができる。
【００９３】
また、上述のごとく、本実施の形態においては各フレーム毎に黒透過率から任意の透過率になる過程と任意の透過率から黒透過率になる過程を含むために、図２１に示すように、書き込み電圧と透過率との関係が従来の画像表示シーケンスの場合とは異なる。また、図２２に示すように、各階調における透過率の経時変化も、本実施の形態の画像表示シーケンスと従来の画像表示シーケンスとで異なる。
【００９４】
そこで、これらの結果を考慮して、本実施の形態における画像表示シーケンスを採用した場合には、動画／静止画判別回路２１の判別結果に基づいて信号用基準電源２２によって、各階調における書き込み電圧を、黒表示を基準として振幅を大きく再調整することによって、従来の画像表示シーケンスを採用した場合に比して、良好な階調バランスを得ることができるのである。
【００９５】
上述のように、本実施の形態においては、液晶パネル１１としてＶＧＡパネルを用いる。そして、ソースドライバ１２には、ホールディングメモリ３２に蓄えられたデータ信号と黒信号電圧に基づく上記リセット信号との両信号を、１水平ラインサンプリング期間中にソースラインＳに切り替え出力する切替スイッチ３４を設ける。また、４８０本のゲートラインＧを１６０本ずつ３つのグループに分割し、各グループのゲートラインＧを第１ゲートドライバ１３ａ〜第３ゲートドライバ１３ｃに接続する。
【００９６】
そして、上記表示制御部２０から第１ゲートドライバ１３ａ〜第３ゲートドライバ１３ｃに、順次半周期ずつ位相が遅れたクロック信号を供給する。さらに、表示制御部２０から、１クロック目と３２１クロック目とに１パルスが存在する走査開始信号を、第１ゲートドライバ１３ａ〜第３ゲートドライバ１３ｃに１６０クロックずつ位相をずらして入力するようにしている。
【００９７】
したがって、上記ソースドライバ１２が上記データ信号を出力する際には、ゲートドライバ１３はｎ番目のゲートラインＧを選択し、ソースドライバ１２が上記リセット信号を出力する際に（ｎ＋１６０）番目のゲートラインＧを選択するように、上記切替クロックと走査開始信号とのタイミングを設定しておくことによって、図１３に示すように、データ信号が書き込まれた絵素には、当該フレームの後半１／３にはリセット信号が書き込まれることになる。
【００９８】
その際に、上記リセット信号の電圧（つまり、黒信号用電源２４の電圧）を１フレーム期間内に黒表示を達成できる電圧に設定しおけば、次のフレームまでには黒表示へ戻ることができる。すなわち、本実施の形態によれば、白信号が書き込まれた絵素に対して次のフレームで黒信号を書き込む場合には、前フレームの後半１／３において既に黒信号が書き込まれているために当該フレームの開始時点において透過率が１０％以下を呈し、光漏れは観察されないのである。
【００９９】
さらに、動画像における映像のエッジ部は、各フレームにおいて移動と停止とを繰り返す。その場合、人間は上記エッジ部の停止を視認できないために、上記エッジ部は滑らかに移動しているように見える。そして、本実施の形態においては、データ信号が書き込まれた絵素に対してフレームの後半１／３においてリセット（黒）信号が書き込まれて、映像が消えるようになっている。ところが、人間は映像が消えたことを視認できないために、上記映像のエッジ部が人間の視線より先に在る期間と後に在る期間とが短くなり、結果として図２０に示すように動画像のエッジ部の滲みを低減できるのである。
【０１００】
また、本実施の形態においては、表示している画像は動画主体の画像か静止画主体の画像かを自動的に判断する動画／静止画判別回路２１を設けている。そして、動画／静止画判別回路２１によって動画像であると判別された場合には、バックライト調光回路２３によってバックライトの輝度を増加させるようにしている。したがって、動画像表示時において、１フレームの後１／３にリセット信号を書き込むために生ずる透過率の低下を、必要最小限の消費電力増加で防止することができるのである。
【０１０１】
すなわち、本実施の形態によれば、従来のＶＧＡパネルを備えた液晶表示装置に、最小限の改良を施すことによって、必要最小限の消費電力増加で動画表示品位の向上を図ることができるのである。
【０１０２】
尚、上記の動作説明は、動画像表示の場合を例に行っているが、静止画像も表示できることは言うまでもない。静止画像の表示に際しては、表示制御部２０から、全レベルが「Ｈ」の静止画用の切替クロック信号がソースドライバ１２に出力されて、１水平ラインのサンプリング期間全体に渡ってデータ信号のみが出力される。さらに、１パルスが存在する静止画用の走査開始信号が各ゲートドライバ１３ａ〜１３ｃに１６０クロック分位相をずらして入力される一方、レベルが「Ｌ」の静止画用の識別信号が各ゲートドライバ１３に出力される。こうして、従来の液晶表示装置と同様に、４８０本のゲートラインＧを一端から順次選択しながら全ソースラインＳにデータ信号を出力して画像を表示するのである。
【０１０３】
また、上述の説明においては、上記信号用基準電源２２と黒信号用電源２４との電圧の関係については特に述べてはいないが、次のように設定することによって、さらに表示品位を向上できる。すなわち、信号用基準電源２２からの黒画像用の基準電圧（黒基準電圧）をＶｄとし、黒信号用電源２４の電圧をＶｒとすると、対向電極１８の電位レベルに対して正極性の場合には、ノーマリホワイト時にはＶｄ＜Ｖｒ、ノーマリブラック時にはＶｄ＞Ｖｒの関係を満たすように両電圧を設定する。これに対して、負極性の場合には、ノーマリホワイト時にはＶｄ＞Ｖｒ、ノーマリブラック時にはＶｄ＜Ｖｒの関係を満たすように両電圧を設定する。こうすることによって、黒表示信号の供給時間の不足を補うことができ、より表示品位の向上を図ることができるのである。
【０１０４】
通常、ＴＦＴ（スイッチング素子）１７は、確実に信号電圧を供給するためには最短で２０．５μｓの供給時間が必要である。一方において、上述のように、上記ＶＧＡパネルを１フレーム時間が１６．７ｍｓ（＝１６７００μｓ）で駆動する場合、つまり、４８０本のゲートラインＧを６０Ｈｚで駆動する場合には、１水平期間が
１０６μｓ／６０（Ｈｚ）／４８０（本）＝３４．７μｓ
となる。そこで、データ信号供給時間と黒信号供給時間とを
データ信号供給時間＝２０．８μｓ
黒信号供給時間＝３４．７μｓ−２０．８μｓ＝１３．９μｓ
と設定する。尚、図２３に各駆動信号および選択信号のタイミングチャートを示し、図２４に画像表示シーケンスを示す。
【０１０５】
このように各信号供給時間を設定することによって、ソースドライバ１３ａ〜１３ｃからのデータを絵素電極１６に確実に供給できるのである。尚、黒信号供給時間が短くなれば、十分な黒信号の供給（絵素容量への充電）が行われないと考えられる。しかしながら、多くの液晶表示素子の場合、電圧−透過率曲線を見てみると、黒表示近傍では、電圧に対して鈍感な透過率変化を示す（黒表示付近では透過率が０に飽和していく）ので、黒信号の供給が多少不足しても十分な効果を得ることができるのである。尚、本実施の形態においては、１フレーム時間とは、映像信号方式の如何に関わらず液晶表示装置の画面全体の画像を表示するために要する時間であると定義する。例えば、インターレース映像信号方式の場合は、一般に１フレーム時間は２つのフィールドから構成されており、フレーム時間の１／２に当たる１フィールド時間で液晶表示装置の画面全体が表示される。この場合には、上記１フィールド時間を本実施の形態においては１フレーム時間と見なすのである。その他の映像信号方式の場合においても同様である。尚、このことは、以後の各実施形態においても同様であるとする。
【０１０６】
＜第２実施の形態＞
本実施の形態における液晶表示装置の概略構成は、図１に示す第１実施の形態におけるアクティブマトリックス型の液晶表示装置と同じである。但し、本実施の形態における液晶表示装置は、液晶表示部にＳ−ＸＧＡ（スーパーＸＧＡ）パネルを用いている。絵素数は１２８０（カラー表示の場合には３倍）×１０２４であり、第１実施の形態におけるＶＧＡパネルとはゲートラインＧの数にして約２倍異なる。したがって、第１実施の形態の場合と同様に、データ信号とリセット信号とを同じ出力時間幅で交互に出力するとすれば、１水平ラインの選択時間は、およそ１６．７ｍｓ（１フレーム時間）／１０２４本／２≒約８．１μｓである。そのために、絵素に対して各信号書き込み（つまり充電）を十分に行うことができない。
【０１０７】
尚、上記各絵素電極とソースラインＳとの接続をスイッチングするＴＦＴ素子の能力からすれば、１水平ラインの選択時間は最低１２．０μｓが必要である。そこで、本実施の形態においては、ソースドライバ１２における切替スイッチ３４に供給する切替クロックは、１６．７ｍｓ（１フレーム時間）／１０２４本≒約１６．３μｓである１水平ラインの最大選択時間のうち、１２．０μｓをデータ信号書き込み時間に割り当て、残りの４．３μｓをリセット信号書き込み時間に割り当てるように設定するのである。
【０１０８】
ところが、このようなリセット信号書き込み時間では、１回の選択期間においてリセット信号を十分書き込むことは不可能である。そこで、本実施の形態においては、図２５及び図２６に示すように、１０２４本のゲートラインＧを、２５６本ずつ４つのグループに分割して各グループ毎に異なる４つのゲートドライバ（以下、第１ゲートドライバ１３ａ〜第４ゲートドライバ１３ｄと言う）に接続している。但し、各ゲートドライバ１３の基本構成は図４に示す構成と同じである。そして、画像表示に際しては、表示制御部２０から各ゲートドライバ１３ａ〜１３ｄに、７６８クロック分の「Ｌ」レベルと２５６クロック分の「Ｈ」レベルとが存在する識別信号を、各ゲートドライバ１３に２５６クロック分位相をずらして入力する。また、１クロック目と７６９クロック目とに１パルスが存在する走査開始信号を、各ゲートドライバ１３に２５６クロック分位相をずらして入力するのである。
【０１０９】
その結果、上記識別信号のレベルが「Ｈ」であるゲートドライバ１３のアナログスイッチ４３がオンとなるため、そのゲートドライバ１３では連続した４本のゲートラインＧが選択されることになり、隣接する２つのゲートドライバ１３によって、シフトしながら１本のゲートラインＧと４本のゲートラインＧとが交互に選択されることになる。
【０１１０】
本実施の形態の液晶表示装置における画像表示シーケンスは、図２７に示す通りである。尚、図２７（ｂ）に、図２７（ａ）における書き込みおよびリセット期間の具体的内容を示す。図２７に示すように、本実施の形態においては、データ信号の書き込みとリセット信号の書き込みとを上述のような異なる時間幅で交互に行う。その場合、リセット信号の書き込みは、表示制御部２０からの上述のような識別信号および走査開始信号に基づいて、データ信号書き込み水平ラインの２５６本先から連続した４本の水平ラインに対して同時に行われるのである。
【０１１１】
こうすることによって、各水平ラインに、１フレーム中に４回連続してリセット信号を書き込むことができ、図２８に示すように、リセット信号書き込み時間を４．３μｓとしても十分に黒表示を行わせることができる。すなわち、本実施の形態によれば、液晶パネル１１としてＳ−ＸＧＡパネルを用いたアクティブマトリックス型液晶表示装置において、動画表示の滲みや残像を低減することができるのである。
【０１１２】
尚、本実施の形態において、上述のごとく、上記データ信号を出力したゲートラインＧの２５６本先のゲートラインＧ（ｍ＝２５６）に上記リセット信号を与えるのは、次の理由による。すなわち、上述したように、液晶の透過率が１００％から１０％まで変化する応答時間は約４ｍｓである。そして、あるゲートラインＧに接続されたある絵素の絵素電極にリセット信号が印加された場合、次にデータ信号が印加されるまでに概ね黒表示になっている必要がある。したがって、次の関係が成立する。
ｆ×ｍ／Ｎ＞４ｍｓ
但し、ｆ：１フレーム時間（１６．７ｍｓ）
Ｎ：総ゲートライン数（１０２４本）
したがって、ｍ＞２４６である必要がある。
【０１１３】
ここで、本実施の形態においては、２５６本のゲートラインＧに接続されたゲートドライバ１３を４個一直線状に配置して１０２４本を走査するようになっている。したがって、ｍ＝２５６とすれば、現在データ信号を出力しているゲートドライバ１３の次のゲートドライバ１３から、データ信号が出力されているゲートラインＧの番号と同じ番号のゲートラインＧにリセット信号を出力するという非常に簡単な制御によって、ｍ＞２４６の条件をクリアできるのである。
【０１１４】
尚、本実施の形態の場合にも、表示画像が動画主体の画像か静止画主体の画像かを動画／静止画判別回路２１によって自動的に判断し、動画像である場合にバックライト調光回路２３によってバックライトの輝度を増加させれば、動画表示品位に優れた携帯用の液晶表示装置を必要最小限の消費電力アップで得ることができる。
【０１１５】
また、上述の説明においては、ｎ本目のゲートラインＧにデータ信号を書き込んだ後に、（ｎ＋ｍ）本目から連続してｋ本のゲートラインＧにリセット信号を書き込む場合を例に挙げている。ところが、上記リセット信号が書き込まれるＫ本のゲートラインＧを、ｍ本置きにｐ個のグループに分けても差し支えない。その場合に各グループ毎に連続したｋ本（＝Ｋ／ｐ本）に同時にリセット信号が書き込まれることになる。
【０１１６】
図２９に、各駆動信号および選択信号のタイミングチャートの一例を示す（ゲートドライバ１３ｄは省略）。また、図３０に１フレーム期間の画像表示シーケンスを示す。尚、図２９は、ｍ＝２５６，ｐ＝２，ｋ＝１の場合の例である。
【０１１７】
上述のように、ｍ本置きにｐ個のグループに分散してゲートラインＧにリセット信号を書き込むことによって、以下のような効果を奏することができる。すなわち、液晶は、リセット信号の書き込み開始によって黒表示へ応答し始め、その誘電率が次第に変化して行く（液晶の誘電率異方性のため）特性を有している。したがって、液晶へ所定のリセット電圧を印加しても、その誘電率変化によって液晶に実際に印加されている電圧は変動してしまう。
【０１１８】
ところが、ｍ本置きにｐ個のグループに分散させてｋ本のゲートラインＧにリセット信号を供給することによって、ある１本の水平ラインに着目すると、ｍ本走査される毎に１回リセット信号が供給されることになる。すなわち、１回目のリセット信号で液晶がある程度応答してその誘電率が変化する。そして、ｍ本走査後に、上記誘電率が変化した液晶に対して２回目のリセット信号の供給が行われることになる。したがって、この動作をｐ回繰り返すことによって、より確実な黒表示を得ることができるのである。
【０１１９】
言い換えれば、液晶素子への信号供給は、信号電圧の個々の絵素容量への印加動作（すなわち充電動作）である。したがって、液晶は、表示の内容（配向状態）によってその誘電率が変化することになり、前回の表示内容によって充電電荷量が異なることになる。したがって、同じ絵素に同じ信号を供給しても、前の表示内容が異なると異なった表示になってしまうのである。
【０１２０】
ところが、上述のように、ｍ本のゲートラインＧが走査されるだけの時間をおいてｐ回繰り返してリセット信号を書き込むことによって、上述の誘電率変化の問題を改善することができ、さらに良好な黒表示を得ることができるのである。
【０１２１】
＜第３実施の形態＞
第１実施の形態における液晶表示装置においては、低温下で使用すると液晶の応答速度が遅くなるために、リセット信号による黒表示が完了する前に次フレームのデータ信号が書き込まれることになり、動画の滲み量が増すと言う問題がある。この問題は、第２実施の形態を適用することによって、つまり表示制御部２０からの識別信号を切り換えることによって解消できるのであるが、上記データ信号に応じた透過率から黒透過率になるまでの応答時間をフレーム期間内に収まるようにコントロールすることによっても解消できる。以下、上記データ信号に応じた任意の透過率から黒透過率になるまでの応答時間のコントロール方法について説明する。
【０１２２】
上記応答時間のコントロール方法としては、次のような方法がある。
（１）  リセット信号の書き込みライン番号とデータ信号の書き込みライン番号との差である「ｍ」を、環境温度の低下と共に増大させる。このことによって、リセット信号書き込み時間を長くしてリセット信号書き込み時の応答時間をフレーム期間内に十分収まるようにでき、液晶の応答速度低下を補償することができるのである。
【０１２３】
（２）  黒信号用電源２４からの黒信号用電圧（つまり、リセット信号の電圧）を環境温度の低下と共に大きくする。このことによって、リセット信号書き込み速度を速くしてリセット信号書き込み時の応答時間をフレーム期間内に十分収まるようにでき、液晶の応答速度低下を補償することができるのである。
【０１２４】
尚、上記（１）における「ｍ」の変化方法としては種々考えられるが、例えば以下のようにして行う。すなわち、複数に分割されている各ゲートドライバ１３のシフトレジスタ４１を直列に接続する。そして、全シフトレジスタ４１を構成するラッチ回路のうち、ｍ番目〜（ｍ＋Ｊ）番目のラッチ回路の入力端子の夫々にアナログスイッチを接続し、この（Ｊ＋１）個のアナログスイッチの何れかを介してｍ番目〜（ｍ＋Ｊ）番目のラッチ回路の入力端子にも上記走査開始信号を入力可能にする。さらに、上記アナログスイッチ用の制御回路を設け、この制御回路によって、環境温度の降温に応じて（ｍ＋ｊ（ｊ≦Ｊ））番目のアナログスイッチをオンするのである。
【０１２５】
尚、本実施の形態においては、上記コントロール方法（１），（２）の何れか一方のみを実施しても液晶の応答速度の低下による動画像の滲み量増加を回避することができる。
【０１２６】
また、上記第２実施の形態においては、上記リセット信号の書き込みを４本の水平ラインに対して同時に行う場合を例に説明したが、この発明は４本の水平ラインに限定されるものではない。さらに、リセット信号の書き込みは固定本数の水平ラインに限定されるものではなく、リセット信号の書き込み本数を変更可能にしても差し支えない。その場合の上記リセット信号の書き込み本数の変更方法は種々考えられるが、例えば次のように行えばよい。
【０１２７】
すなわち、図４において、各ゲートドライバ１３における２番目〜Ｋ番目のラッチ回路の入力端子の夫々にアナログスイッチを接続し、この（Ｋ−１）個のアナログスイッチの何れかを介してアナログスイッチ４３からの走査開始信号を２番目〜Ｋ番目のラッチ回路の入力端子にも供給可能にする。さらに、上記アナログスイッチ用の制御回路を設け、この制御回路によって、外部からのｋ信号に応じて２番目〜ｋ（ｋ≦Ｋ）番目のアナログスイッチをオンするのである。尚、ｋ信号とは、リセット信号の書き込み本数を指定する信号である。
【０１２８】
上記各実施の形態においては、この発明をアクティブマトリックス型液晶表示装置に適用した場合を例に説明しているが、デューティタイプの液晶表示装置にも適用できることは言うまでもない。
【０１２９】
【発明の効果】
以上より明らかなように、第１の発明の液晶表示方法は、ｎ本目の行線に選択信号を供給すると共に列線にデータ信号を供給して選択行線の絵素に上記データ信号に基づく画像を表示し、次に、（ｎ＋ｍ）本目の行線に上記選択信号を供給すると共に上記列線に黒表示信号を供給して選択行線の絵素に黒画像を表示し、上記選択行線を順次シフトさせながら上記データ信号に基づく画像の表示動作と黒画像の表示動作とを繰り返すので、総ての絵素に対して、上記データ信号を書き込み、さらにｍに応じた所定時間が経過した後に黒表示信号を供給して、次のフレームに新たに画像データ信号が書き込まれるまで黒表示信号が書き込まれた状態を保持して、黒画像を表示できる。したがって、白表示を行っている絵素を次のフレームで黒表示に変える場合は、次のデータ信号が書き込まれる前に既に黒画像が表示されていることになり、バックライトの光り漏れを防止できる。
【０１３０】
また、上述のように、映像を表示している絵素が次にデータ信号が印加されるまでに黒表示となって映像が消えるため、動画における映像のエッジが人間の視線よりも先に在る期間と後に在る期間とを短くできる。したがって、上記映像のエッジの滲みを低減できる。
【０１３１】
すなわち、この発明によれば、上記列線に対する黒表示信号の供給および上記行線の選択方法の変更という最小限の変更によって、動画表示品位を向上できるのである。
【０１３２】
また、第２の発明の液晶表示方法は、ｎ本目の行線に選択信号を供給すると共に列線にデータ信号を供給して選択行線の絵素に上記データ信号に基づく画像を表示し、次に、上記ｎ本目とは異なる複数の行線に上記選択信号を同時に供給すると共に上記列線に黒表示信号を供給して選択行線の絵素に黒画像を表示し、上記選択行線を順次シフトさせながら上記データ信号に基づく画像の表示動作と黒画像の表示動作とを繰り返すので、次にデータ信号が印加されるまでに複数回黒表示信号を供給できる。したがって、上記黒表示信号供給時間が黒画像表示に不十分な時間である場合でも、複数回繰り返して黒表示信号を供給することによって確実に黒表示を行うことができる。
【０１３３】
したがって、この発明によれば、表示パネルの絵素密度が高密度であって行線数が多いために、黒表示信号供給時間を十分取れない場合でも、バックライトの光り漏れや映像エッジ部での光の滲みが起きない高品位な動画表示を、最小限の変更によって行うことができる。
【０１３４】
また、上記第２の発明の液晶表示方法は、上記複数の行線を（ｎ＋α・ｍ）（α＝１，２，…，ｐ）本目の行線とすれば、ある１本の水平ラインに関してｍ本の走査毎に黒表示を繰り返して行うことができる。したがって、直前のフレームにおける表示内容による絵素容量の誘電率の変動を無くして、さらに高品位な表示を行うことができる。
【０１３５】
また、上記第２の発明の液晶表示方法は、上記複数の行線を（ｎ＋α・ｍ）本目から（ｎ＋α・ｍ＋ｋ−１）（α＝１，２，…，ｐ）本目までの行線とすれば、ある１本の水平ラインに関してｍ本の走査毎にｋ回繰り返して、黒表示を行うことができる。したがって、直前のフレームにおける表示内容の影響をさらに無くすことができる。
【０１３６】
また、上記第１の発明あるいは第２の発明の液晶表示方法は、上記データ信号の供給時間と上記黒表示信号の供給時間とを等しくすれば、非常に簡単な切り換え制御処理によって、上記データ信号の供給と上記黒表示信号の供給を切り換えることができる。
【０１３７】
また、上記第１の発明あるいは第２の発明の液晶表示方法は、上記データ信号の供給時間を上記黒表示信号の供給時間よりも長くすれば、表示パネルの絵素密度が高密度であって行線数が多いために、データ信号供給時間を十分に取れない場合にも対処することができる。
【０１３８】
また、上記第１の発明あるいは第２の発明の液晶表示方法は、上記ｍの値を次式の関係を満たすように設定すれば、１フレーム期間における上記黒表示信号の供給時間を、白表示を黒表示へ切り換える場合の液晶の応答時間以上に設定することができる。したがって、上記データ信号に基づいて白画像が表示される絵素であっても、次にデータ信号が印加されるまでに確実に黒表示を行うことができる。
ｆ×ｍ／Ｎ＞ｔ
但し、Ｎ：行線数
ｆ：１フレーム時間
ｔ：白表示を黒表示へ切り換える際における液晶の応答時間
【０１３９】
また、上記第１の発明あるいは第２の発明の液晶表示方法は、上記ｋの値を次式の関係を満たすように設定すれば、１フレーム期間における上記黒表示信号の供給時間を、黒表示信号のｋ回供給によって白表示を黒表示に切り換えることができる最短時間以上に設定できる。したがって、上記黒表示信号の供給時間が不充分であるために黒表示信号供給をｋ回繰り返して供給する場合に、上記データ信号に基づいて白画像が表示される絵素であっても、次にデータ信号が印加されるまでに確実に黒表示を行うことができる。
Ｔ×ｋ≧Ｔ０
但し、Ｔ：黒表示信号の１回の供給時間
Ｔ０：白表示を完全に黒表示に切り換えることができる
黒表示信号の最短時間
【０１４０】
また、上記第１の発明あるいは第２の発明の液晶表示方法は、上記データ信号が黒表示用のデータ信号である場合の電圧Ｖｄと上記黒表示信号の電圧Ｖｒとを、下記の関係を満たすように設定すれば、上記黒表示信号の供給時が不足して十分な黒表示が行えない場合でも、確実に黒表示を行うことができる。
対向電極の電位レベルに対して正極性の場合には
ノーマリホワイト時はＶｄ＜Ｖｒ、
ノーマリブラック時はＶｄ＞Ｖｒ
対向電極の電位レベルに対して負極性の場合には
ノーマリホワイト時はＶｄ＞Ｖｒ、
ノーマリブラック時はＶｄ＜Ｖｒ
【０１４１】
また、第３の発明の液晶表示装置は、表示制御部からの制御信号によって、列線ドライバの切替スイッチがデータ信号を選択している際には、行線ドライバはｎ本目の行線に選択信号を供給する一方、上記切替スイッチが黒表示信号を選択している際には、上記行線ドライバは（ｎ＋ｍ）本目の行線に選択信号を供給するので、総ての絵素に対して、データ信号を書き込み、さらにｍに応じた所定時間が経過した後に黒表示信号を供給し、次のフレームに新たに画像データ信号が書き込まれるまで上記黒表示信号が書き込まれた状態を保持して、黒画像を表示できる。したがって、白表示を行っている絵素を次のフレームで黒表示に変える場合には、次のデータ信号が書き込まれる前に既に黒画像が表示されていることになり、バックライトの光り漏れを防止できる。
【０１４２】
すなわち、この発明によれば、上記列線ドライバに切替スイッチを設けて上記表示制御部からの制御信号を変更するという最小限の変更によって、動画表示品位を向上できるのである。
【０１４３】
また、第４の発明の液晶表示装置は、表示制御部からの制御信号によって、列線ドライバの切替スイッチがデータ信号を選択している際には、行線ドライバはｎ本目の行線に選択信号を供給する一方、上記切替スイッチが黒表示信号を選択している際には、上記行線ドライバは上記ｎ本目とは異なる複数本の行線に選択信号を供給するので、上記黒表示信号供給時間が１回の黒表示信号供給だけでは十分な黒画像表示を行えない時間の場合でも、黒表示信号供給を複数回繰り返して確実に黒表示を行うことができる。したがって、表示パネルの絵素密度が高密度で行線数が多いために黒表示信号供給時間が十分取れない場合でも、バックライトの光り漏れが起こらない高品位な動画表示を行うことができるのである。
【０１４４】
また、上記第３の発明あるいは第４の発明の液晶表示装置は、上記行線をｍ本毎にＬ個のブロックに分割し、上記行線ドライバを各ブロックの行線に選択信号を供給するＬ個の部分行線ドライバで構成すれば、上記切替スイッチによってデータ信号を列線に供給する場合には、ある部分行線ドライバにおけるｎ本目の行線を選択する一方、黒表示信号を列線に供給する場合には、上記部分行線ドライバの後列に位置する部分行線ドライバにおけるｎ本目の行線を選択するという簡単な制御によって、上記（ｎ＋ｍ）本の行線の選択動作を行うことができる。
【０１４５】
また、上記第３の発明あるいは第４の発明の液晶表示装置は、上記表示制御部から上記列線ドライバへの制御信号の一つである上記切替スイッチの切替制御信号を、上記データ信号の選択時間を黒表示信号の選択時間よりも長くするように設定すれば、上記データ信号の供給時間を上記黒表示信号の供給時間よりも長くすることができる。したがって、表示パネルの絵素密度が高密度であって行線数が多いために、データ信号供給時間を十分に取れない場合にも対処できる。
【０１４６】
また、上記第３の発明あるいは第４の発明の液晶表示装置は、上記表示制御部から上記列線ドライバへの制御信号の一つである上記切替スイッチの切替制御信号を、上記データ信号の選択時間と黒表示信号の選択時間とを等しくするように設定すれば、上記データ信号の供給時間と上記黒表示信号の供給時間とを等しくすることができる。したがって、非常に簡単な切り換え制御処理によって、上記データ信号の供給と上記黒表示信号の供給を切り換えることができる。
【０１４７】
また、上記第４の発明の液晶表示装置は、上記表示制御部から上記行線ドライバへの制御信号の一つである識別信号に基づいて、上記行線ドライバによって上記黒表示信号供給期間に（ｎ＋ｍ）本目〜（ｎ＋ｍ＋ｋ−１）本目の行線に上記選択信号を供給するようにすれば、次にデータ信号が印加されるまでに上記黒表示信号をｋ回供給できる。したがって、上記黒表示信号供給時間が不十分である場合でも確実に黒表示を行うことができる。したがって、この発明によれば、表示パネルの絵素密度が高密度であって行線数が多いために、黒表示信号供給時間を十分取れない場合でも、バックライトの光り漏れが起こらない高品位な動画表示を行うことができる。
【０１４８】
また、上記第４の発明の液晶表示装置発明は、上記行線ドライバを、データ信号供給期間には上記制御信号の一つとしての走査開始信号をシフトレジスタの１番目のラッチ回路に供給する一方、黒表示信号供給期間には上記走査開始信号を上記シフトレジスタのｍ番目のラッチ回路から連続したｋ個のラッチ回路に供給する走査開始信号供給手段を有するようにすれば、シフトレジスタを有する行線ドライバに走査開始信号供給手段を設けるという簡単な変更で、次にデータ信号が印加されるまでにｋ回黒表示信号を供給できる行線ドライバを実現できる。
【０１４９】
また、上記第４の発明の液晶表示装置は、上記走査開始信号供給手段を、上記黒表示信号供給期間におけるラッチ回路番号ｍとラッチ回路数ｋとを変更可能なように成せば、ラッチ回路番号ｍを変更することによって、次にデータ信号が印加されるまでの黒画像の表示時間を変更できる。また、ラッチ回路数ｋを変更することによって、次にデータ信号が印加されるまでの黒表示信号の供給回数を変更することができる。したがって、この発明によれば、上記表示パネルの絵素密度の変更や環境温度の変化等に容易に対処できる。
【０１５０】
また、上記第４の発明の液晶表示装置は、供給制御手段によって、外部からの走査開始位置指定信号に基づいて、上記ラッチ回路番号ｍを設定する制御信号を上記走査開始信号供給手段に出力すれば、外部からの信号に基づいて、次にデータ信号が印加されるまでの黒画像の表示時間を変更できる。
【０１５１】
また、上記第３の発明あるいは第４の発明の液晶表示装置は、上記表示制御部を、外部からの指令信号に応じて、上記黒表示信号の供給動作を行う第１表示モード用の制御信号と、上記黒表示信号の供給動作を行わない第２表示モード用の制御信号とを切替出力するようにすれば、常時、表示モードを消費エネルギーが多い第１モードに固定しておく場合に比してエネルギーの浪費を防止できる。
【０１５２】
また、上記第３の発明あるいは第４の発明の液晶表示装置は、上記列線ドライバから供給されるデータ信号の電圧を設定する信号用基準電源の電圧を、上記第１表示モード時と第２表示モード時とで切り換え可能にすれば、液晶の透過率が低くなる上記第１表示モードの場合には、データ信号の電圧を上記液晶の透過率低下に応じて設定できる。したがって、第１表示モードと第２表示モードとの間で一定の階調バランスを保つことができるようになる。
【０１５３】
また、上記第３の発明あるいは第４の発明の液晶表示装置は、動画静止画判別手段によって動画であるか静止画であるかを判別し、判別結果を表す上記指令信号を上記表示制御部に出力するようにすれば、表示品位が低下しやすい動画表示時に自動的に上記表示制御部から第１表示モード用の制御信号を出力して、総ての絵素に対して、次にデータ信号が印加されるまでに黒画像を表示できる。したがって、表示画像が動画に変ったことを自動的に検知して表示品位の向上を図ることができる。
【０１５４】
また、上記第３の発明あるいは第４の発明の液晶表示装置は、バックライト調光手段によって、上記指令信号に基づいて上記第１表示モードと第２表示モードとでバックライトの輝度を切り換えるようにすれば、液晶の透過率が低くなる第１表示モードの場合に上記バックライトの輝度を上げることができる。したがって、上記バックライトの輝度を上記第１表示モード時に合せて固定しておく場合に比して、上記第２表示モード時におけるエネルギーの浪費を防止できる。
【０１５５】
また、上記第３の発明あるいは第４の発明の液晶表示装置は、上記黒表示信号発生手段としての黒表示信号用電源の電圧を、上記第１表示モード時と第２表示モード時とで切り換えるようにすれば、第１表示モードと第２表示モードとの間で一定の階調バランスを保つことができるようになる。
【図面の簡単な説明】
【図１】この発明の液晶表示装置における概略構成を示す図である。
【図２】図１におけるソースドライバの概略構成を示す図である。
【図３】図２とは異なるソースドライバの概略構成を示す図である。
【図４】図１におけるゲートドライバの概略構成を示す図である。
【図５】図４におけるアナログスイッチが動作した場合の説明図である。
【図６】第１実施の形態における３つのゲートドライバの駆動信号および各ゲートラインに出力される選択信号のタイミングチャートである。
【図７】動画像表示動作の説明に用いる画像の説明図である。
【図８】従来の画像表示シーケンスを示す図である。
【図９】図７に示す画像において生ずる滲みの説明図である。
【図１０】従来の画像表示シーケンスに基づく白帯絵素における各フレーム毎の透過率変化を示す図である。
【図１１】図１に示す液晶表示装置における画像表示シーケンスを示す図である。
【図１２】図１１に示す画像表示シーケンスに基づく図７に示す画像の表示結果を示す図である。
【図１３】図１１に示す画像表示シーケンスに基づく各フレーム毎の透過率変化を示す図である。
【図１４】図７に示す画像の任意の水平ラインにおける白帯の移動の様子を示す図である。
【図１５】液晶の応答時間を無限小とした場合の従来の画像表示シーケンスにおける透過率の応答波形を示す図である。
【図１６】液晶の応答時間を無限小とした場合の図１１に示す画像表示シーケンスにおける透過率の応答波形を示す図である。
【図１７】従来の画像表示シーケンスでの白帯の移動と人間の視点の移動とを示す図である。
【図１８】図１７に示す白帯の移動と人間の視点の移動とのずれに起因して白帯の両エッジの輝度が低下する状態を示す図である。
【図１９】図１１に示す画像表示シーケンスでの白帯の移動と人間の視点の移動とを示す図である。
【図２０】図１９に示す白帯の移動と人間の視点の移動とのずれに起因して白帯の両エッジの輝度が低下する状態を示す図である。
【図２１】図１１に示す画像表示シーケンスと従来の画像表示シーケンスとにおける書き込み電圧と透過率との関係を示す図である。
【図２２】図１１に示す画像表示シーケンスと従来の画像表示シーケンスとにおける各階調での透過率の経時変化を示す図である。
【図２３】図６とは異なる駆動信号および選択信号のタイミングチャートである。
【図２４】図１１とは異なる画像表示シーケンスを示す図である。
【図２５】第２実施の形態における駆動信号および選択信号のタイミングチャートである。
【図２６】図２５に続くタイミングチャートである。
【図２７】図１１および図２４とは異なる画像表示シーケンスを示す図である。
【図２８】図２７に示す画像表示シーケンスに基づく各フレーム毎の透過率変化を示す図である。
【図２９】図２５とは異なるタイミングチャートである。
【図３０】図２９の画像表示シーケンスを示す図である。
【図３１】従来の液晶表示装置におけるソースドライバの概略構成図である。
【符号の説明】１１…液晶パネル、
１２…ソースドライバ、              １３…ゲートドライバ、
２０…表示制御部、                  ２１…動画／静止画判別回路、
２２…信号用基準電源、              ２３…バックライト調光回路、
２４…黒信号用電源、                ３１，３７…サンプリングメモリ、
３２，３８…ホールディングメモリ、    ３３，３８…ＤＡコンバータ、
３４，３５…切替スイッチ、            ３６…黒信号データ生成部、
４１…シフトレジスタ、              ４２…出力回路、
４３…アナログスイッチ。
【図１】
0003556150.tif 000002
【図２】
0003556150.tif 000003
【図３】
0003556150.tif 000004
【図４】
0003556150.tif 000005
【図５】
0003556150.tif 000006
【図６】
0003556150.tif 000007
【図７】
0003556150.tif 000008
【図８】
0003556150.tif 000009
【図９】
0003556150.tif 000010
【図１０】
0003556150.tif 000011
【図１１】
0003556150.tif 000012
【図１２】
0003556150.tif 000013
【図１３】
0003556150.tif 000014
【図１４】
0003556150.tif 000015
【図１５】
0003556150.tif 000016
【図１６】
0003556150.tif 000017
【図１７】
0003556150.tif 000018
【図１８】
0003556150.tif 000019
【図１９】
0003556150.tif 000020
【図２０】
0003556150.tif 000021
【図２１】
0003556150.tif 000022
【図２２】
0003556150.tif 000023
【図２３】
0003556150.tif 000024
【図２４】
0003556150.tif 000025
【図２５】
0003556150.tif 000026
【図２６】
0003556150.tif 000027
【図２７】
0003556150.tif 000028
【図２８】
0003556150.tif 000029
【図２９】
0003556150.tif 000030
【図３０】
0003556150.tif 000031
【図３１】
0003556150.tif 000032